(57)【要約】      （修正有）【課題】発光回路の製造コストの低減化を図ると共に、組み込みコストを低下させ、製品の製造工程の簡略化及び低コスト化を図る。【解決手段】所定の電流が導通すると発光する発光素子と、この発光素子を発光させ得る電力を供給し得る電池と、これら発光素子と電池とを電気的に閉回路とし得る電導体と、これら発光素子と電池と電導体を所定の形態に収納し得る収納体とを有し、電導体の一部が弾力を有し、電導体の所定の箇所に対して所定の外力を加えていないときには弾力によって発光素子及び電池及び電導体からなる回路が開回路となり、所定の箇所に対して所定の外力を加えると回路が閉回路となって発光素子が発光するように構成され、外部から押圧操作を行なうように構成される物品に、押圧操作に連動して前記回路が閉回路となるように組み込んで使用することができるように構成される。【選択図】図３
0003114481.tif 000002
【実用新案登録請求の範囲】
【請求項１】
少なくとも、所定の電流が導通すると発光する発光素子と、この発光素子を発光させ得る電力を供給し得る電池と、これら発光素子と電池とを電気的に閉回路とし得る電導体と、これら発光素子と電池と電導体を所定の形態に収納し得る収納体とを有し、少なくとも前記電導体の一部が弾力を有し、該電導体の所定の箇所に対して所定の外力を加えていないときには該弾力によって前記発光素子及び電池及び電導体からなる回路が開回路となり、所定の箇所に対して所定の外力を加えると前記回路が閉回路となって発光素子が発光するように構成され、外部から押圧操作を行なうように構成される物品に、該押圧操作に連動して前記回路が閉回路となるように組み込んで使用することができるように構成されることを特徴とする組込型発光回路ユニット。
【請求項２】
発光素子が、発光ダイオードであることを特徴とする請求項１記載の組込型発光回路ユニット。
【請求項３】
電池が、ボタン型電池を１個以上接続してなることを特徴とする請求項１又は２記載の組込型発光回路ユニット。
【請求項４】
電池が、ボタン型電池を１個以上直列接続してなることを特徴とする請求項１乃至３のいずれかに記載の組込型発光回路ユニット。
【請求項５】
電導体が、電導性を有する板バネを含むものであることを特徴とする請求項１乃至４のいずれかに記載の組込型発光回路ユニット。
【請求項６】
収納体が、合成樹脂を主材料として構成されるものであることを特徴とすることを特徴とする請求項１乃至５のいずれかに記載の組込型発光回路ユニット。
【請求項７】
ケーシングと、このケーシング内に配設され、所定の操作によって開放されるガス噴出ノズルと、このガス噴出ノズルに連通した燃料タンクと、所定の力を加えることで圧電素子に圧力が加えられて放電する点火ユニットと、発火用ボタンとを有してなり、この発火用ボタンを所定の力で押圧することによって前記ガス噴出ノズルの開通と同時に圧電素子に圧力を付与して放電させ、噴射したガスを発火させるように構成される電子式ライター構造物と、少なくとも、所定の電流が導通すると発光する発光素子と、この発光素子を発光させ得る電力を供給し得る電池と、これら発光素子と電池とを電気的に閉回路とし得る電導体と、これら発光素子と電池と電導体を所定の形態に収納し得る収納体とを有し、少なくとも前記電導体の一部が弾力を有し、該電導体に対して外力を加えていないときには弾力によって前記発光素子及び電池及び電導体からなる回路が開回路となり、前記押圧操作に連動して前記回路が閉回路となるように構成される組込型発光回路ユニットとを備え、該組込型発光回路ユニットが前記発火用ボタンの押圧操作に連動して発光するように前記電子式ライター構造物内に組み込まれてなることを特徴とする組込型発光回路ユニットを組み込んでなる着火用ライター。
【請求項８】
少なくとも組込型発光回路ユニットの発光素子周辺のケーシングをなす材料が、光透過性を有するものであることを特徴とする請求項７記載の着火用ライター。
【請求項９】
ケーシングが、光透過性を有するものであることを特徴とする請求項７又は８記載の着火用ライター。
【請求項１０】
発光素子が、発光ダイオードであることを特徴とする請求項７乃至９のいずれかに記載の着火用ライター。
【請求項１１】
電池が、ボタン型電池を１個以上接続してなることを特徴とする請求項７乃至１０のいずれかに記載の着火用ライター。
【請求項１２】
電池が、ボタン型電池を１個以上直列接続してなることを特徴とする請求項７乃至１１のいずれかに記載の着火用ライター。
【請求項１３】
電導体が、電導性を有する板バネを含むものであるをことを特徴とする請求項７乃至１２のいずれかに記載の着火用ライター。
【請求項１４】
収納体が、合成樹脂を主材料として構成されるものであることを特徴とすることを特徴とする請求項７乃至１３のいずれかに記載の着火用ライター。
【考案の詳細な説明】
【技術分野】
【０００１】
通電させることによって発光させることができる発光回路及びこの発光回路を有する物品、特にこの物品がライターで発光回路を備えたものに関する。
【背景技術】
【０００２】
従来より通電させることによって発光させる発光回路は、多様な用途をもって実用に供している。しかし、何等かの物品に組み込んで使用することが容易にできるように、ユニット化されて構成された発光のための給電用の電池を備えた発光回路は存在していない。従って、そのように構成される発光回路ユニットを組み込んで、何等かのアクションによって該ユニットの発光素子を発光させるように構成された物品も存在しない。
【０００３】
例えば、前述の如くの組込型の発光回路ユニットを組み込んで構成し得る物品としては、所定の押圧操作によって着火するように構成された所謂電子式ライターが挙げられる。従来の電子式ライターとしては、ケーシングと、このケーシング内に配設される燃料を収容するタンクと、このタンクに連通するガス噴射ノズルと、このガス噴射ノズルを開放させてガスを噴射させつつ、噴射ガスにスパークさせて着火させる発火用ボタンと、前記スパークを生じさせる放電ユニットとを有してなり、発火用ボタンを押すことで、単に所望の火炎を得られるように構成されたものの他、発火操作に連動して或いは連動させずに、照明灯を発光させることができるように構成されたものがあった。
【０００４】
そのように発火の他にも照明灯を発光させることができるように構成された着火用ライターとしては、例えば、特開昭５６−６６６７０号公報（特許文献１）、特開昭６１−８９６６４号公報（特許文献２）、特開平２−４５３４９号公報（特許文献３）等に開示されている技術を挙げることができる。これらの技術によれば、着火用途の他に発光させてライター自身を照らしたり、周囲を照らしたりすることができる。しかし、これらの技術は何れも照明灯として使用される照明灯回路は、ユニット化された発光回路が使用されたものではない。
【０００５】
【特許文献１】特開昭５６−６６６７０号公報
【特許文献２】特開昭６１−８９６６４号公報
【特許文献３】特開平２−４５３４９号公報
【考案の開示】
【考案が解決しようとする課題】
【０００６】
この考案は、上記問題に鑑みてなされたものであり、単純な押圧力によって発光させることができる発光回路をユニット化することで、発光回路の製造コストの低減化を図ると共に、何等かの押圧操作を行なうように構成された物品への組み込みコストを低下させ、該物品に前記発光回路を組み込んでなる製品の製造工程の簡略化及び低コスト化を図ることを目的とする。
【課題を解決するための手段】
【０００７】
上記課題を解決するためにこの考案における組込型発光回路ユニットが採った手段は、少なくとも、所定の電流が導通すると発光する発光素子と、この発光素子を発光させ得る電力を供給し得る電池と、これら発光素子と電池とを電気的に閉回路とし得る電導体と、これら発光素子と電池と電導体を所定の形態に収納し得る収納体とを有し、少なくとも前記電導体の一部が弾力を有し、該電導体の所定の箇所に対して所定の外力を加えていないときには該弾力によって前記発光素子及び電池及び電導体からなる回路が開回路となり、所定の箇所に対して所定の外力を加えると前記回路が閉回路となって発光素子が発光するように構成され、外部から押圧操作を行なうように構成される物品に、該押圧操作に連動して前記回路が閉回路となるように組み込んで使用することができるように構成されることを特徴とする。
【０００８】
また、発光素子が、発光ダイオードであることを特徴とする。
【０００９】
また、電池が、ボタン型電池を１個以上接続してなることを特徴とし、また前記接続が直列接続であることを特徴とする
【００１０】
また、電導体が、電導性を有する板バネを含むものであるをことを特徴とする。
【００１１】
また、収納体が、合成樹脂を主材料として構成されるものであることを特徴とし、また前記合成樹脂が電気絶縁性を有することを特徴とする。
【００１２】
また、本考案の組込型発光回路ユニットを組み込んでなる着火用ライターは、ケーシングと、このケーシング内に配設され、所定の操作によって開放されるガス噴出ノズルと、このガス噴出ノズルに連通した燃料タンクと、所定の力を加えることで圧電素子に圧力が加えられて放電する点火ユニットと、発火用ボタンとを有してなり、この発火用ボタンを所定の力で押圧することによって前記ガス噴出ノズルの開通と同時に圧電素子に圧力を付与して放電させ、噴射したガスを発火させるように構成される電子式ライター構造物と、少なくとも、所定の電流が導通すると発光する発光素子と、この発光素子を発光させ得る電力を供給し得る電池と、これら発光素子と電池とを電気的に閉回路とし得る電導体と、これら発光素子と電池と電導体を所定の形態に収納し得る収納体とを有し、少なくとも前記電導体の一部が弾力を有し、該電導体に対して外力を加えていないときには弾力によって前記発光素子及び電池及び電導体からなる回路が開回路となり、前記押圧操作に連動して前記回路が閉回路となるように構成される組込型発光回路ユニットとを備え、該組込型発光回路ユニットが前記発火用ボタンの押圧操作に連動して発光するように前記電子式ライター構造物内に組み込まれてなることを特徴とする。
【００１３】
また、少なくとも組込型発光回路ユニットの発光素子周辺のケーシングをなす材料が、光透過性を有するものであることを特徴とし、或いはケーシング全体が、光透過性を有するものであることを特徴とする。
【００１４】
また、上記電子式ライター内に組み込まれる組込型発光回路ユニットの発光素子が、発光ダイオードであることを特徴とする。
【００１５】
また、上記電子式ライター内に組み込まれる組込型発光回路ユニットの電池が、ボタン型電池を１個以上接続してなることを特徴とし、或いはその接続が直列接続であることを特徴とする。
【００１６】
また、上記電子式ライター内に組み込まれる組込型発光回路ユニットの電導体が、電導性を有する板バネを含むものであるをことを特徴とする。
【００１７】
また、上記電子式ライター内に組み込まれる組込型発光回路ユニットの収納体が、合成樹脂を主材料として構成されるものであることを特徴とする。
【考案の効果】
【００１８】
単純な押圧力によって発光させることができるように発光回路をユニット化したことによって、押圧操作がなされる多様な物品に対して簡単に該ユニットを組み込むことができ前記押圧操作に連動させて発光させることが、著しく低コストにしてできるという効果がある。
【００１９】
当該発明の発光回路ユニットをライターに組み込んだ場合には、発火用ボタンを押すことで、ライター内に組み込まれた発光素子を発光させることができる。またその発光によって暗い場所であってもライターの燃料残量を目視確認することや、ライター周辺を照らすことができるという効果がある。
【考案を実施するための最良の形態】
【００２０】
この考案の好ましい実施の形態を以下に詳細に説明する。この考案は、何等かの押圧操作を行なうように構成される物品に、当該考案の発光回路ユニットを、前記押圧操作に連動して前記回路が閉回路となるように組み込むことによって、前記物品に、この物品の押圧操作に連動して自在に発光させることができるという機能を付与するためのものである。当該発明の発光回路ユニットは、少なくとも、所定の電流を導通させることで発光する発光素子と、この発光素子を発光させるための給電用の電池と、これら発光素子と電池とを電気的に閉回路とし得る電導体と、これら発光素子と電池と電導体を所定の形態に収納し得る収納体とを有している。
【００２１】
発光素子としては、所定量の電流を通電させることで発光させることができるものであれば特に限定されないが、消費電力や発光時の光度或いは、発光素子の寿命や該素子の価格等を考慮すれば、発光ダイオードを用いることが好ましい。
【００２２】
電池は、発光素子を発光させるのに要求される電力を供給し得るものであれば特に限定されないが、重量や占有体積を比較的小さめにして、発光回路ユニット全体をコンパクトに構成するためには、所謂ボタン型電池を使用するとよい。勿論、ボタン型電池やその他の電池を使用する場合において、該電池を複数個用いてそれらを直列又は並列或いはそれらの組み合わせで接続して使用することができる。
【００２３】
電導体は、発光素子と電池とを電気的に所定の閉回路とし得るように構成される。勿論この電導体は、一連の１つの部品から構成されたものであってもよいし、２つ以上の部品から構成してもよい。また少なくとも電導体の一部が弾力を有するように構成し、該電導体の所定の箇所に対して所定の外力を加えていないときには該弾力によって前記発光素子及び電池及び電導体からなる回路が開回路となり、所定の箇所に対して所定の外力を加えると前記回路が閉回路となって発光素子が発光するように構成される。このように電導体を、接点型のスイッチをなすように構成することによってスイッチ構造を簡略化することができ、何等かの押圧操作を行なうように構成される物品の押圧操作に連動させて、スイッチをなす電導体の接点部が接触して前記回路が閉回路となるように構成される。
【００２４】
収納体は、発光素子と電池と電導体を所定の形態に収納し得るように構成されるものであって、発光素子装着部と、この発光素子の一方の端子と電池の所定の一方の極とを接続させつつ該電池を収納できるように構成される電池収納部と、この電池の他方の極と電導体とを互いに接触させ、その接触状態を保持するように電導体を装着できるように構成され、好ましくは電気絶縁性を有する合成樹脂から構成される。
【実施例１】
【００２５】
以下、当該発明の発光回路ユニット(１)を組み込んでなる物品の一実施例を図面を参照しながら詳細に説明する。本実施例における物品は、発光回路ユニット(１)を組み込んでなる電子式ライター(２)である。
【００２６】
図１に示すように、本例における発光回路ユニット(１)は、発光ダイオード(３)と、直列接続されるボタン型電池(４)３個からなる電池と、前記発光ダイオード(３)と電池とを接続して閉回路とするための電導体(５)(６)とこれらを収納するための収納体(７)を備えている。
【００２７】
発光ダイオード(３)は、一方の端子(８)が略Ｕ字状に形成され、他方の端子(９)が略Ｌ字状に形成され、これらの端子(８)(９)が若干きつめに係入されて嵌合される収納体(７)に設けられている発光ダイオード装着部(10)に装着される。前記略Ｕ字状に形成された一方の端子(８)の先端部分は、収納体(７)に形成されている電池収納部(11)内に位置するように配設され、該先端部分に電池の一方の極が接触するように電池収納部(11)内には電池が収納される。この電池の他方の極には、略コ字状に形成された電気伝導性を有し、且、弾力性を有する板バネ状の電導体(５)の一端が、電池収納部(11)の所定箇所に形成された切欠部(12)から差し込まれて接触するように配置されている。また、発光ダイオード(３)の略Ｌ字状に形成された端子(９)には、略つ字状に形成された電導体(６)と略コ字状に形成された電導体(５)とがなすスイッチの接点部(13)の役割を担うように電導体(６)が接触配置され、前記略コ字状に形成された電導体(５)に所定の力を加えると、これらの電導体(５)(６)が互いに接触して閉回路を形成するように構成される。
【００２８】
図３に示すように、本例における電子式ライター(２)は、透明な素材からなるケーシング(14)と、このケーシング(14)内に配設される、燃料タンク(15)と、この燃料タンク(15)に連通した所定の操作によって開放されるように構成されるガス噴出ノズル(16)と、所定の力を加えることで圧電素子に圧力が加えられて放電する点火ユニット(17)と、発火用ボタン(18)と、燃料タンク(15)に隣接して画成される発光回路ユニット収納部(19)とを有している。そして、前記発火用ボタン(18)を所定の力で押圧することによって前記ガス噴出ノズル(16)の開通と同時に圧電素子に圧力を付与して放電させ、噴射したガスを発火させるように構成されている。
【００２９】
発光回路ユニット収納部(19)には、前述の発光回路ユニット(１)が収納され、発火用ボタン(18)の押圧操作に連動して、電導体(５)(６)の接点部を押圧して閉回路化させ得るように構成された押圧部材(20)が配設されている。図４に示すように、前記発火用ボタン(18)を押圧して該発火用ボタン(18)を押し下げると、この操作に連動して押圧部材(20)が押し下がって電導体(５)の接点部を押圧して電導体(６)に接触させて発光回路を閉回路化させて発光ダイオード(３)を発光させるように構成されている。
【図面の簡単な説明】
【００３０】
【図１】発光回路ユニットの組立図
【図２】同の正面図
【図３】同ユニットを組み込んでなるライターの断面図
【図４】同発火用ボタンを押した状態を示す断面図
【符号の説明】
【００３１】
１  発光回路ユニット
２  電子式ライター
３  発光ダイオード
４  ボタン型電池
５  電導体
６  電導体
７  収納体
８  端子
９  端子
10  発光ダイオード装着部
11  電池収納部
12  切欠部
13  接点部
14  ケーシング
15  燃料タンク
16  ガス噴出ノズル
17  点火ユニット
18  発火用ボタン
19  発光回路ユニット収納部
20  押圧部材
【図１】
0003114481.tif 000003
【図２】
0003114481.tif 000004
【図３】
0003114481.tif 000005
【図４】
0003114481.tif 000006